(57)【要約】基部と、基部に取り外し可能に固定あるいは固着されるマーク記録層から構成される、ゴルフあるいはディボットマット。マーク記録層は例えば、カーボン不要紙、カーボン紙、あるいはワックス含有表面であり、ひとつあるいはそれ以上の擬似ゴルフボールがそこにプリントされている。マークがゴルフクラブと練習マットの接触領域を即座に記録するマーク記録層に残る。ゴルフスイングの練習方法は、基部へのマーク記録層の取り付けも含み、擬似ゴルフコース表面としてのマーク記録層を用いたゴルフクラブのスイングも含む。ゴルフクラブのスイングとマーク記録層との接触領域の記録のためのマーク記録層。マーク記録層にはひとつあるいはそれ以上のゴルフボール状体がプリントされている。
2006518644.tif 000002
【特許請求の範囲】
【請求項１】
基部と、前記基部から取り外し可能に装着されたマーク記録層を備えたことを特徴とするゴルフ練習装置。
【請求項２】
請求項１において、前記基部が剛性材であることを特徴とするゴルフ練習装置。
【請求項３】
請求項２において、前記基部は、さらに前記剛性材に取り付けられ前記剛性材の下に敷かれた表面グリップ層を備えたことを特徴とするゴルフ練習装置。
【請求項４】
請求項１において、さらに、前記マーク記録層と前記基部の間に少なくとも部分的に中間に入れた粘着層を備えたことを特徴とするゴルフ練習装置。
【請求項５】
請求項２において、前記剛性材は、ポリカーボネートプラスチックシートであることを特徴とするゴルフ練習装置。
【請求項６】
請求項３において、前記表面グリップ層は、ラバーマットであることを特徴とするゴルフ練習装置。
【請求項７】
請求項１において、前記マーク記録層は、カーボン不要紙であることを特徴とするゴルフ練習装置。
【請求項８】
請求項７において、前記カーボン不要紙は、プリントされたゴルフボールの模様を備えたことを特徴とするゴルフ練習装置。
【請求項９】
請求項１において、前記マーク記録層は、インク層とペーパー層を備えたことを特徴とするゴルフ練習装置。
【請求項１０】
請求項４において、前記粘着層は、第一の相互粘着層と、中間層と、第二の相互粘着層を備えたことを特徴とするゴルフ練習装置。
【請求項１１】
堅い支持層と、
ゴルフクラブヘッドとの接触による痕跡を記録するマーク記録表面手段と、
ひとつあるいはそれ以上の前記マーク記録手段を、前記堅い支持層に固定し位置を定めるための記録手段とを備え、該マーク記録表面手段は堅い支持層の周縁部に十分に張り渡され、
前記マーク記録手段はひとつあるいはそれ以上の擬似ゴルフボールをそこに有したカーボン不要紙のシートから成り、
さらに、前記の堅い支持層に操作可能に固定されたラバーマットを備え、前記ラバーマットは前記堅い支持層の下に敷かれたことを特徴とするゴルフ練習マット。
【請求項１２】
堅い支持層と、
ゴルフクラブヘッドとの接触による痕跡を記録するマーク記録表面手段と、
ひとつあるいはそれ以上の前記マーク記録手段を前記堅い支持層に固定し位置を定める記録手段とを備え、
前記記録表面手段はカーボン紙のシートにより構成されることを特徴とするゴルフ練習マット。
【請求項１３】
堅い支持層と、
ゴルフクラブヘッドとの接触による痕跡を記録するマーク記録表面手段と、
ひとつあるいはそれ以上の前記マーク記録手段を前記固い支持層に固定し位置を定める記録手段を備え、該マーク記録表面手段は堅い支持層の周縁部に十分に張り渡され、
さらに、前記の堅い支持層に操作可能に固定されたラバーマットを備え、前記ラバーマットは前記堅い支持層の下に敷かれ、
前記マーク記録表面手段は容易に取り外し及び交換に適応し、さらに前記マーク記録手段は取り外し後も記録を保持することに適応することを特徴とするゴルフ練習マット。
【請求項１４】
請求項１３において、前記ラバーマットは粘着テープによって前記堅い支持層に固定されたことを特徴とするゴルフ練習マット。
【請求項１５】
請求項１３において、前記ラバーマットは粘着材によって前記堅い支持層に固定されたことを特徴とするゴルフ練習マット。
【請求項１６】
請求項１３において、前記堅い支持層は、実質的に平面であるプラスチックシートにより構成されることを特徴するゴルフ練習マット。
【請求項１７】
請求項１６において、前記実質的に平面であるプラスチックシートは、ポリカーボネートプラスチックシートにより構成されることを特徴とするゴルフ練習マット。
【請求項１８】
請求項１３において、前記マーク記録手段は、ひとつあるいはそれ以上の擬似ゴルフボールを有するカーボン不要紙から構成されることを特徴とするゴルフ練習マット。
【請求項１９】
請求項１３において、前記記録表面手段はカーボン紙から構成されることを特徴とするゴルフ練習マット。
【請求項２０】
堅い支持層と、
ゴルフクラブヘッドとの接触による痕跡を記録するマーク記録表面手段と、
ひとつあるいはそれ以上の前記マーク記録手段を前記固い支持層に固定し位置を定める記録手段とを備え、該マーク記録表面手段は堅い支持層の周縁部に十分に張り渡され、
さらに、前記の堅い支持層に操作可能に固定されたラバーマットを備え、前記ラバーマットは前記堅い支持層の下に敷かれ、
前記マーク記録表面手段は容易に取り外し及び交換に適応し、前記マーク記録手段は取り外し後も記録を保持することに適応し、さらに前記堅い支持層は前記マーク記録層と比して相等程度に堅いことを特徴とするゴルフ練習マット。
【請求項２１】
請求項２０において、前記ラバーマットは、粘着テープで前記堅い支持層  に固定されたことを特徴とするゴルフ練習マット。
【請求項２２】
請求項２０において、前記ラバーマットは、粘着材で前記堅い支持層に固定されたことを特徴とするゴルフ練習マット。
【請求項２３】
請求項２０において、前記堅い支持層は、実質的に平面であるプラスチックシートから構成されることを特徴とするゴルフ練習マット。
【請求項２４】
請求項２３において、前記実質的に平面であるプラスチックシートは、ポリカーボネートプラスチックシートであることを特徴とするゴルフ練習マット。
【請求項２５】
請求項２０において、前記マーク記録手段は、ひとつあるいはそれ以上の擬似ゴルフボールを有するカーボン不要紙シートから構成されることを特徴とするゴルフ練習マット。
【請求項２６】
請求項２０において、前記記録表面手段は、カーボン紙から構成されることを特徴とするゴルフ練習マット。
【請求項２７】
堅い支持層を備え、前記堅い支持層は実質的に長方形であり、
ゴルフクラブヘッドとの接触による痕跡を記録するマーク記録表面手段を備え、前記マーク記録表面手段は前記堅い支持層に重ねられ、
前記マーク記録手段を前記堅い支持層に固定し位置決めするための保持手段を備え、前記保持手段は、前記マーク記録手段を堅い支持層に、実体的な長方形状体の一方の端に実体的に沿って固定し、前記マーク記録表面手段は堅い支持層の周囲の端に実体的に張り渡され、
前記堅い支持層に操作可能に固定されたラバーマットを備え、前記ラバーマットは前記堅い支持層の下に敷かれ、
前記マーク記録表面手段は、容易に取り外し及び交換に適応することを特徴とするゴルフ練習マット。
【請求項２８】
請求項２７において、前記マーク記録手段は、ゴルフクラブヘッドとの接触による痕跡を記録した前記マーク記録手段の部分への損傷なしに取り外すことに適応することを特徴とするゴルフ練習マット。
【請求項２９】
請求項２８において、前記マーク記録層は前記堅い支持層に前記長方形状体の一方の端によってのみ固定されたことを特徴とするゴルフ練習マット。
【請求項３０】
基部上部に第一の記録層を粘着させ、
前記第一の記録層及び地面シミュレーターとしての前記基部層を利用するゴルフクラブのスイングにより構成され、前記第一の記録層は記録層へのゴルフクラブの接触を記録し、前記第一の記録層は、容易に取り外し及び交換に適応することを特徴とするゴルフスイングの練習方法。
【請求項３１】
請求項３０において、さらに前記第一の記録層を取り外し、第二の記録層と交換することを特徴とするゴルフスイングの練習方法。
【請求項３２】
請求項３０において、さらに前記第一の記録層上の接触記録を分析することを特徴とするゴルフスイングの練習方法。
【発明の詳細な説明】
【技術分野】
【０００１】
発明の詳細な説明
関連出願の相互参照
この出願は部分的に米国特許出願番号１０／０３９，３２６の継続である。
この発明は、ゴルフスイングの練習と改善のためのゴルフ練習マットに関連し、特に、ひとつあるいはそれ以上のプリントされた、あるいはそうでなければ図示されたゴルフボールのイメージを有するマーク記録層を有する、ゴルフ及びディボット練習用マット及びそれを使用する方法に関する。
【背景技術】
【０００２】
これまでに、様々なゴルフ及びゴルフに関連する練習装置が、ゴルフ技術を改良するために提案及び開発されている。従来の装置は、このような練習具を様々な方法で提供するものである。 しかしながら、すべての従来の装置は、たいてい装置が重く、高価で、信頼できず、ゴルフ技術の改善について格別に便利なわけではなかった。ゴルフボールに対するゴルフクラブの接触領域を記録する従来技術の装置は、使用者がゴルフクラブの地面に対しての接触領域の記録を伴ったようなスイングについて、それと同じ型の情報を与えないものである。以下に述べるように、クラブがどのように地面に接触したかの記録は、クラブが地面へ接触するようにクラブが地面に形成する軌道によって示され、観察者に該スイングについての付加的情報を得るという明確な利点をもたらす。クラブが振られたように、地面（練習マットに表される）に接するクラブの接触領域を記録することにより、接触の“動的な”記録が作成される。クラブがスイング軌道に合わせて動き、地面（マット）を横切って渡るとき、クラブ底部が地面に接する量は変わり得る。本発明では、この時勢変化の記録という点が観察できる。この記録は、実際にスイングがなされたゴルフコースの芝表面にゴルファーが残すであろうディボットと同様である。どこで地面とクラブが当たったかという記録は、クラブヘッドによる記録という点で、対照的に、限定的な情報を与える。どのようにボールがクラブフェースに接触したかという記録は、異なった種類の情報を示す。さらに、ゴルフクラブに対するゴルフボールの接触領域を記録する装置は、ゴルフクラブの修正を必要とする明確な不利益を有する。
例えば、グロースマンの米国特許第２，６６０，４３６号はその中で、ゴルフクラブのフェースにラミネート層を固定した装置を開示している。マークがこの装置に残った状態であるとき、それは容易には観察されず、その代わりに使用者がクラブのフェースに接近して見つめる必要がある。さらに、装置ひとつあたり１スイングだけを行うことができる。そうでなければ、使用者はどのスイングがどの接触マークを引き起こしたかがわからない。このように、各スイングの度毎に装備が交換される必要がある。それに加えて、この装置は実際のゴルフボールが打たれるべきことを要求する。これにより、この装置がどこでどのように使用することができるかが限定される。
バトラーの米国特許第５，６０９，５３０号は、スイングが地面を通過したときのゴルフクラブのトウアップ状態あるいはトウダウン状態を記録する発明を開示している。この装置もまた、その記録がクラブに依存して行われるという制限があり、スイングするにはクラブに修正を施すことが必要である。また、練習ラウンドの中断前には一度だけスイングすることができ、クラブに装着した装置を取り替える必要がある。また、この装置はクラブと地面がどの部分で相互に接触したかについていくらかの情報をもたらすけれども、その情報は非「動的な」情報であるという点で限定されている。
【０００３】
求められているものは、地面に対するゴルフスイングの接触領域の動的な記録を可能とする装置である。理想的には、その装置は、何か修正が必要となる以前に、複数のスイングと、複数の記録を可能とするものである。さらに、その装置はそのような詳細情報を、相対的に低価格に情報の簡易記憶を可能とする方法で記録し得るべきである。
発明の簡潔な要約
本発明は、使いやすく、信頼でき、安価に製造でき、屋内外を問わず使用できるゴルフあるいはディボット練習用マットを提供する。本発明のディボットマットは、簡単に使用でき、紙又は他の感受性の表面にプリントされた擬似ゴルフボールの周囲と付近にマークを残すことにより、使用者のゴルフスイングについて即時かつ確実なフィードバックを提供する。この可視マークは、使用者にスイングの質とスイングの特徴について即座の情報を与え、使用者にゴルフスイングの改善を指針付ける。
【０００４】
多様な種類のゴルフ練習装置が先行技術として知られているにもかかわらず、いずれもが、使用者によるゴルフクラブのスイングにより跡を残す擬似プリントされたゴルフボールを備えた表面を有し、これによりスイングの特徴を即座に示しかつ永久に記録するマットを指針付けるものではない。ゴルフクラブと地面（あるいはマットにより擬態された地面）の接触を記録することができる装置が必要とされている。
【０００５】
本発明は、ゴルフスイングの練習と、ゴルフ練習装置へクラブの接触領域を記録することを提供する。この接触領域は持続的マークとして記録される。このマークは、使用者が芝生でクラブをスイングした後に地面に見られるディボットと同様である。ディボットを表すマークの批評は、マークを作ったスイングを分析することを可能とする。訓練された眼がこのような分析を可能とし、あるいは指針が素人にこのような分析をする助けとして使用されるかもしれない。
【０００６】
本発明は、取り外し及び交換可能な層、例えばカーボン不要紙のような層に、接触領域を記録することを可能とする。使用者は、ある時点でのスイングの履歴を作成するために、その紙を取り外して保存することも可能である。その記録は、軽量であり、相対的に安価である。さらに、複数のボールがそのような１枚の紙にプリントされると、ゴルファーは分離された個々のスイングの記録を保持しつつも、その紙を取り替える必要に迫られるまで何度もスイング練習することができる。
【０００７】
記録層上のプリントされたゴルフボール状体を用いることによって、ゴルファーはスイング練習中にゴルフボールを見つめる経験を積む。さらに、ゴルフボール状体を利用することで、ゴルファーはボールに集中し、かつ頭を伏し続けておくことを学ぶかもしれない。これはゴルフスイングにおいて重要な点である。
接触領域の記録が、装置から取り除かれ取り替えられることができるという簡便性により、長期の中断なしでの継続的な練習セッションが可能となる。
【０００８】
本発明は、使用者がよりよいゴルファーになるための訓練において、きわめて効果的なゴルフあるいはディボット練習マットを提供する。本発明のゴルフあるいはディボット用マットは、ゴルフの初級、中級、上級を問わず、また屋内外を問わずに様々な場所で、ゴルフクラブ以外の装備や付属品を必要とせずに、首尾よく使用されうる。
【０００９】
従って、本発明の目的は、ひとつあるいはそれ以上の印刷された擬態のゴルフボールを有する感受性の表面を備えた、ディボットあるいはゴルフ練習マットを提供することである。その感受性の表面は、カーボン不要（ＮＣＲ）タイプの紙で構成されることが好ましいが、代替物として、ワックス、カーボン紙、またはそのような性質のものによって構成されるか、あるいはそれらを含むことも可能である。本発明は、ゴルフクラブと、地面をシミュレートする記録表面との間の接触領域を記録することを可能とするものである。本発明はまた、ゴルファーが彼あるいは彼女のスタンスをわずかに移る以外のことを必要とせずに、複数回のスイングが記録されることを可能とする。記録用紙が使用し尽くされたとき、記録用紙は容易に取り除かれ、取り替えられる。記録用紙はその後、ゴルフクラブと装置（ゴルフコースをシミュレートする）との接触の永久的な記録となる。
【００１０】
本発明のさらなる目的及び利点は後述する発明の詳細な説明に示す。さらに、部分的には発明の詳細な説明から明白となるであろうし、あるいは本発明の実践から学ばれうる。
本発明は、ゴルフあるいはディボット練習マットであり、基部と、基部に取り外し可能に固定されたマーク記録層あるいは基部に固定されたマーク記録層から構成される。マーク記録層は、カーボン不要紙、カーボン紙、あるいはワックス含有表面であればよく、そこにひとつあるいはそれ以上の擬似ゴルフボールがそこにプリントされているものである。マーク記録層は、合せ釘、粘着材、フック及びループ固定部、あるいは他の固定機構によって基部に固定される。マークは、即座に練習マットとゴルフクラブの接触領域を記録するマーク記録層に残る。そのマークの分析によって、ゴルフスイングのポジションあるいは擬似ゴルフボールへの接触角度を特徴付けることが可能となる。この練習マットは屋内外の区別なくどこでも便利に使用することができる。
【００１１】
ゴルフスイングの練習方法は、基部にマーク記録層を取り付けることを含み、擬似的ゴルフコース表面としてのマーク記録層を用いたゴルフクラブのスイングを含む。
マーク記録層にゴルフクラブスイングの接触領域を記録するためのマーク記録層。マーク記録層にはひとつあるいはそれ以上のゴルフボール状体がプリントされている。
【図面の簡単な説明】
【００１２】
添付した図面は、明細書に組み入れられ、明細書の一部を構成し、発明の実施例を図示し、上述の概括的記述と後述の実施例の詳細な説明は共に本発明の原理の説明に用いられる。
【図１】図１は、本発明における、基部にマーク記録層を固定するために合せ釘を用いたゴルフあるいはディボット練習マットの全体図である。
【図２】図２は、本発明における、複数の擬似ゴルフボールがプリントされたマーク記録手段を示す。
【図３】図３は、本発明における、基部にマーク記録層を固定させるために粘着部材を用いたゴルフあるいはディボット練習マットの全体図である。
【図４】図４は、本発明における、基部にマーク記録層を固定させるためにフック及びループ固定部を用いたゴルフあるいはディボット練習マットの全体図である。
【図５】図５は、基部にマーク記録層を分離可能に取り付けるために粘着材を用いたゴルフあるいはディボット練習マットの分解組立図である。
【図６】図６は、ゴルフクラブがマーク記録層に接触している場合の、ゴルフクラブのシミュレーションを示すゴルフあるいはディボット練習マットの側面図である。
【図７】図７は、マーク記録層が、マークに含まれた情報の履歴様相を示す上面図である。
【図８】図８は、マーク記録層が、異なったタイプのマーク及びこれらのマークがゴルフスイングについて何を示すかの例を示す上面図である。
【発明を実施するための最良の形態】
【００１３】
ここに、本発明の実施例を、添付した図面に示されるように詳細に言及する。
本発明に従って提供されるゴルフあるいはディボット練習マットは、基部と、前記基部に取り外し可能に固定されたマーク記録層とによって構成される。ある実施例では、マーク記録層はカーボン不要紙でよく、前記マーク記録層上にプリントされたひとつあるいはそれ以上の擬似的ゴルフボールを備える。ある実施例では、前記マーク記録層は合せ釘、粘着材、フック及びループ固定部、あるいは他の固定機構によって固定される。マークは、ゴルフスイング、ポジション、及び擬似ゴルフボールへの接触角度の特徴を即座に記録するマーク記録層に残る。このことにより、使用者にスイングの質と特徴について気付き、それに従った練習をすることができる。この練習マットは安全かつ便利で、屋内外を問わずどこでも使用し得る。
【００１４】
図１に示されるある実施例においては、ゴルフあるいはディボット練習マット１０は基部１２とマーク記録層２０を備えている。基部１２は剛性あるいは半剛性のベース層１８を備えている。このベース層１８はポリカーボネートプラスチックによって作ることができる。適切なプラスチックの例としては、Ｓｈｅｆｆｉｅｌｄ  Ｐｌａｓｔｉｃｓ，  Ｉｎｃ．が製造し商標Ｍａｃｒｏｌｏｎを付した、３／３２インチの厚いポリカーボネートプラスチックがある。他の同様かつ適合する素材を使用することもできる。
【００１５】
ある実施例では表面グリップ層１４が付加される。例えば、グリップ層１４はマット１０の表面上での滑りやずれ落ちを防ぐために、ラバーマットであるとよい。ある実施例では、表面グリップ層１４はポリウレタンラバーで構成されるが、例えばソフトプラスチック、布地、混成物あるいはそれら類似のも他の耐久弾性材であってもよい。ある実施例では、表面グリップ層１４は粘着層１６によってベース層１８に固定され、粘着材、あるいは粘着テープ、あるいは、粘着材と他の層の組合せとなる。ある実施例では、ボルト、スクリュー、合せ釘、あるいはそれらの代替物が留め具として用いられる。
【００１６】
例えば、ポリカーボネートプラスチックのような耐久剛性材シートをベース層１８に用いることができる。このような層は、固定支持手段を提供する。しかしながら、他の耐久性、弾性、あるいは剛性の材を用いることもでき、たとえば合成物、ラバー、プラスチック、木材、金属、あるいはそれらの代替物を用いてもよい。ベース層１８は実質的には平面形状であることが好ましいが、そうでなくともよい。例えば、曲線状、凹面状、あるいは凸面状の形状のように非平面形状であっても、ゴルフあるいはディボット練習マットを提供することが可能である。
【００１７】
マーク記録層２０は、ゴルフクラブヘッドとの接触によるインプレッションを記録するために用いられる。ある実施例では、マーク記録層２０は、カーボン不要紙（ＮＣＲ）のようなインプレッション記録紙である。このような製品の例としては、Ａｐｐｌｅｔｏｎ  Ｃｏｒｐ．，ｏｆ  Ａｐｐｌｅｔｏｎ，  Ｗｉｓｃ．により製造される自己含有カーボン紙が挙げられる。ある実施例では、ワックス、カーボン紙、あるいはそれら類似のものが用いられる。ある実施例では、マーク記録層２０の表面にはひとつあるいはそれ以上のゴルフボールが印刷されている、そうでなければイメージ２２がつけられている。
【００１８】
ある実施例では、マーク記録層は、基部１２に合せ釘２４を用いて取り外し可能に固定される。さらに固定するには、穴２５を用いて、留めフラップ２６を用いることで達成される。留めフラップ２６は、耐性、剛性、さらには弾性材のシートにより作られる。図１に見られるようなある実施例では、クリップボード、合成材、プラスチック、木材、金属、あるいは他の耐性材の留めフラップ２６は、合せ釘２５に適合するように穴を開けて用いられ、そして紙２０が滑り落ちることを防ぐ。
【００１９】
図２に示されるある実施例においては、マーク記録層２０はそこにプリントされた複数の擬似ゴルフボールのイメージ２２を伴って図示される。ある実施例では、マーク記録層２０は１枚のカーボン不要紙である。代わるべきものとして、カーボン紙、ワックスを染み込ませた表面、あるいはそれら類似のものがＮＣＲ紙に代替し得る。また、必要であれば、マーク記録表面はひとつのゴルフボールだけを示すものでも、あるいはひとつ以上を示すものでもよい。マーク３５は、ゴルフクラブのヘッドあるいは他の部分が接触することによって、即時にマーク記録表面に作られ、使用者にゴルフクラブのスイングにおける角度、質、特徴について即時の洞察を提供する。
【００２０】
図３に示されるある実施例では、マーク記録層２０は取り外し可能に粘着層２８によって基部１２に留められる。粘着層２８はマーク記録層２０を基部１２に留めるので、基部１２の上部表面に沿って紙をスライドさせようとする傾向がある紙に働く水平方向の力は抑えられる。粘着層２８は、必要な場合にマーク記録層２０の容易な取り外し及び交換を可能とする類型である。
【００２１】
図４に示されるある実施例では、フック及びループ固定部３０がマーク記録層２０を基部１２に固定するのに用いられる。
図５に示されるある実施例では、マーク記録層２０は、粘着層２８によって基部１２に取り外し可能に固定される。ある実施例では、粘着層２８は、第一の相互粘着層５１、センター層５２、そして第二の相互粘着層によって形成される。粘着層２８は、そこに粘着性を伴った紙でもよく、例としてはＭａｃｔａｃによって製造されたＳｔａｒｌｉｎｅｒ  Ｐｒｅｓｓｕｒｅ  Ｓｅｎｓｉｔｉｖｅ−ｗｈｉｔｅ  ｃｕｔである。このような実施例においては、この製品はペーパー層５２及び第二の相互粘着層５３を提供し得る。第二の粘着層は、次にセンター層５２の上面５４に貼り付けられ、本技術における方法によって知られた方法を用いた第一の相互粘着層５１が形成される。Ａｄｖａｎｃｅｓ  Ｐｏｌｙｍｅｒｓ  Ｉｎｔｌ．によるＧｅｌｔａｃ  １０１  Ａｄｈｅｓｉｖｅのような粘着材が用いられる。ある実施例では、練習マット１０を用いた練習セッションにおいてマーク記録層２０にゴルフクラブが当たったときに、粘着層２８は十分な強さがあるので、マーク記録層２０の基部１２からの相対的ずれを防止する。また、マーク記録層２０は、マーク記録層２０を引き裂いたり損傷を与えたりすることなしに、容易に取り外し及び交換することが可能である。数回のマーク記録層２０の交換の後には、粘着層２８が交換される必要がある。
【００２２】
図６に図示されるように、練習マット１０は、弧６１方向にスイングされるように、ゴルフクラブ６０によって当てられる。ゴルフクラブシャフト６２は弧６１を方向にゴルフクラブヘッド６３を動かす。ゴルフクラブヘッド６３は、マーク記録層２０の上面６４に点又は領域６５において接触する。基部には、クラブヘッド６３の衝撃がマーク記録層２０にマーク付けする裏板プレートとして、十分な硬さと剛性を有する。
【００２３】
図７は、マーク記録層２０に残ったマークを表す図を示す。ある実施例においては、ゴルフボールイメージ２２はマーク記録層２０上にある。ゴルフクラブが当たると、マーク７０がマーク記録層２０に残る。矢７１は、スイング中のクラブの方向を示す。マーク７０の部分７０ａは時間的に部分７０ｂより早く記録される。このようにマーク記録層は、地面に対するクラブの接触領域を全て正確に記録するのではなく、時間従属的な様式によって接触領域７０を記録する。
【００２４】
図８は、異なった練習スイングがどのように異なった種類のマーク８１，８２，８３を残すか、及び用いられる分析コメント８４，８５，８６を示す説明図である。この例においては、見本コメントは、これらのマークの権威ある分析であることを意味するものではない。
操作性と使用性において、ゴルフあるいはディボットマット１０は、容易に使用でき、便利であり、使用者のゴルフスイングの向上にとても効果的である。ゴルフ及びディボット練習マット１０は屋内外を問わず使用でき、かつとても費用効果のよい練習手段である。ゴルフ及びディボット練習マット１０を用いると、使用者は、単にマットを適合する表面、例えばフロア、デッキ、芝、あるいはそれら類似の場所に設置し、練習に着手することができる。使用されたＮＣＲ紙あるいは他のマーク記録層のシートは、記録として保存することができ、改善に気付くように後のシートと比較することもできる。
【００２５】
上述の明細書によって明白なように、ここに示された明細書の記述から幅広く様々なマットが形成され、さらに付加的利点あるいは修正が、容易に本技術から生じる。従って、本発明の広義の側面においては、詳細な説明、代表的装置、及び図示されたあるいは記述された実例に限定されるものではない。ゆえに、このような詳細からの発展は、出願人の概括的発明概念の精神あるいは視野から離れずには創出されないかもしれない。
【図１】
2006518644.tif 000003
【図２】
2006518644.tif 000004
【図３】
2006518644.tif 000005
【図４】
2006518644.tif 000006
【図５】
2006518644.tif 000007
【図６】
2006518644.tif 000008
【図７】
2006518644.tif 000009
【図８】
2006518644.tif 000010
【国際調査報告】
2006518644.tif 000011